(57)【要約】【課題】  少なくとも一面に開口用開閉部分を設け、その開口用開閉部分を設けた面と両側面との折れ線上に開口用開閉部分の両側の開口用破断線を設けた形状の易開封性カートンであって、容易に開口用破断線に沿って破断して開口用開閉部分を開口して内容物を取り出しやすくした易開封性カートンを提供することにある。【解決手段】  本発明は、直方体形状のカートンの少なくとも一面に開口用開閉部分を設け、該開口用開閉部分を開封する開口用破断線の少なくとも一部を開口用開閉部分を設けた面と他の面との折れ線上に設けた形状の易開封性カートンであって、折れ線上に設けた開口用破断線が二重ミシン目であることを特徴とする易開封性カートンであり、開口用開閉部分を設けた面に隣接する面に開封用開閉部分を開封用破断線により設けたことを特徴とするものである。【選択図】      図１
2005200105.tif 000002
【特許請求の範囲】
【請求項１】
直方体形状のカートンの少なくとも一面に開口用開閉部分を設け、該開口用開閉部分を開封する開口用破断線の少なくとも一部を前記開口用開閉部分を設けた面と他の面との折れ線上に設けた形状の易開封性カートンであって、前記折れ線上に設けた前記開口用破断線が二重ミシン目であることを特徴とする易開封性カートン。
【請求項２】
前記開口用開閉部分を設けた面に隣接する面に開封用開閉部分を開封用破断線により設けたことを特徴とする請求項１に記載の易開封性カートン。
【請求項３】
前記開封用開閉部分を設けた面の辺縁中央に前記開封用破断線の間隔を狭くして摘まみ部を設け、下に重なる下面に前記摘まみ部を差し込む差し込み口を切り込みにより設けたことを特徴とする請求項２に記載の易開封性カートン。
【請求項４】
前記二重ミシン目の形状は、内側ミシン目と外側ミシン目とからなり、その間に折れ線が位置する形状であることを特徴とする請求項１に記載の易開封性カートン。
【請求項５】
前記二重ミシン目は、カット部分Ｍと谷部分Ｎとからなり、カット部分Ｍの長さｍは、谷部分Ｎの長さｎとするとき、ｍの長さをｎの３倍以下することを特徴とする請求項１に記載の易開封性カートン。
【発明の詳細な説明】
【技術分野】
【０００１】
本発明は、菓子類や食品などの商品を収納するためのカートンであって、少なくとも一面に開閉部分を設け該開閉部分を開口して内容物を取り出しやすくした易開封性カートンに関し、詳しくは、開閉部分を設けた面と両側面との折れ線上に開閉部分の両側の破断線を設けた形状の易開封性カートンに関するものである。
【背景技術】
【０００２】
従来、食品、菓子等を包装するカートンにおいて、易開封性が付与されているタイプのカートンの代表的なものとして、図９−ａに示すように、前面から天面に渡る開閉部を設けた横置きタイプのものが知られている。この易開封性カートン２は、前面の一部からなる摘まみ部分を引っ張り、一対の開封用破断線ｙ、ｙに沿って前面を破断し、一対の開口用破断線ｘ、ｘに沿って天面を破断することにより、図９―ｂに示すように、開封用開閉部分Ｑおよび開口用開閉部分Ｐを開けることで内容物を取り出すようになっている。また、この開口用開閉部分Ｐを最大限広くした形状の易開封性カートン３として、図９−ｃに示すように、一対の開口用破断線ｘ、ｘを天面と両側面との折れ線上に設けた形状がある。この場合、開口用破断線ｘ、ｘは、折れ線上でミシン目としている（例えば、特許文献１参照。）。
【０００３】
【特許文献１】特開２００２−１２２２０号公報
【発明の開示】
【発明が解決しようとする課題】
【０００４】
しかしながら、上記の開口用開閉部分を広くして開口用破断線を天面と両側面との折れ線上にミシン目で設けた場合、開口用開閉部分を開口する時に、比較的強い力で破断する必要があり、また、開口用破断線に沿って破断できずに開口用破断線から外れて天面側にずれて破断され、スムースに開口用開閉部分を開口することができず、外観的にも好ましくないという問題がある。
【０００５】
本発明は、上記のように、少なくとも一面に開口用開閉部分を設け、その開口用開閉部分を設けた面と両側面との折れ線上に開口用開閉部分の両側の開口用破断線を設けた形状の易開封性カートンであって、容易に開口用破断線に沿って破断して開口用開閉部分を開口して内容物を取り出しやすくした易開封性カートンを提供することを目的とするものである。
【課題を解決するための手段】
【０００６】
上記目的を達成するため、本発明は、直方体形状のカートンの少なくとも一面に開口用開閉部分を設け、該開口用開閉部分を開封する開口用破断線の少なくとも一部を前記開口用開閉部分を設けた面と他の面との折れ線上に設けた形状の易開封性カートンであって、前記折れ線上に設けた前記開口用破断線が二重ミシン目であることを特徴とする易開封性カートンであり、前記開口用開閉部分を設けた面に隣接する面に開封用開閉部分を開封用破断線により設けたことを特徴とするものである。また、前記開封用開閉部分を設けた面の辺縁中央に前記開封用破断線の間隔を狭くして摘まみ部を設け、下に重なる下面に前記摘まみ部を差し込む差し込み口を切り込みにより設けた形状とすることができる易開封性カートンである。さらに、前記二重ミシン目の形状は、内側ミシン目と外側ミシン目とからなり、その間に折れ線が位置する形状であることを特徴とするものである。さらにまた、前記二重ミシン目は、カット部分Ｍと谷部分Ｎとからなり、カット部分Ｍの長さｍは、谷部分Ｎの長さｎとするとき、ｍの長さをｎの３倍以下することを特徴とするものである。
【発明の効果】
【０００７】
本発明の易開封性カートンは上述の如く、少なくとも一面に開口用開閉部分を設け、その開口用開閉部分を設けた面の両端の折れ線上の少なくとも一部に開口用開閉部分の両側の開口用破断線を設けた形状の易開封性カートンであって、容易に開口用破断線に沿って破断して開口用開閉部分を開口して内容物を取り出しやすくしたという効果を有している。すなわち、開口用開閉部分を設けた面の両端の折れ線上に設けた開口用開閉部分の両側の開口用破断線の形状を、二重ミシン目とすることによって、開口用破断線を破断しやすくし、開口用破断線から外れることなく開口用破断線に沿って破断されるという効果を有している。
【発明を実施するための最良の形態】
【０００８】
以下、本発明の実施の形態について図面を参照して説明する。
【０００９】
図１は、本発明の易開封性カートンの一実施例を示す斜視図である。易開封性カートン１は、前面１６、天面１２、後面１７、底面１４、両側面１１、１３からなる直方体のカートンであり、天面１２と両側面１１、１３とを折り曲げた稜線上の少なくとも一部（本実施例では全長に渡る）には、一対の並行する開口用破断線ｐ、ｐが設けられ、前面１６には、開口用破断線ｐ、ｐに連続して一対の開封用破断線ｑ、ｑが辺縁まで設けられ、この開封用破断線ｑ、ｑおよび開口用破断線ｐ、ｐを引き裂くことにより、前面１６の一部の開封用開閉部分Ｑおよび天面１２の一部の開口用開閉部分Ｐを開口することができる。本発明の易開封性カートン１では、この開口用破断線ｐ、ｐが二重ミシン目線であることが特徴である。また、前面１６の中央辺縁は、開封用開閉部分Ｑが開封しやすいように開封用破断線ｑ、ｑ間の幅を狭くして摘まみ部１６ａとしている。
【００１０】
図２は、図１の易開封性カートン１の開閉部分を開けた状態を示す斜視図であり、前面１６の摘まみ部１６ａを摘んで開封し、前面１６の開封用開閉部分Ｑおよび天面１２の開口用開閉部分Ｐを開口した状態を示している。この開口した状態で、易開封性カートン１の中に収納されている商品を取り出すことができる。そして、再封できるように、前面１６の摘まみ部１６ａを差し込む差し込み口１８ａを前下面１８に設けている。
【００１１】
図３は、図１の易開封性カートン１を組み立てるブランクを示す展開図であり、ブランク１０では、横方向の折れ線ａ、ｂ、ｃ、ｄを介して側面１１、天面１２、側面１３、底面１４、糊代片１５が連設され、天面１２の右左の辺には折れ線ｅ、ｆを介してそれぞれ前面１６と後面１７が連設され、底面１４の右左の辺には折れ線ｇ、ｈを介してそれぞれ前下面１８と後下面１９が連設され、そして、側面１１の右左の辺には折れ線ｉ、ｊを介してそれぞれ折り込み片２０、２１が連設され、側面１３の右左の辺には折れ線ｋ、ｌを介してそれぞれ折り込み片２２、２３が連設されている。
【００１２】
また、天面１２と両側面１１、１３との折れ線ａ、ｂ上の少なくとも一部（本実施例では全長に渡る）には、一対の開口用破断線ｐ、ｐを設けられている。この一対の開口用破断線ｐ、ｐにより囲まれる領域は開口用開閉部分Ｐとなり、天面１２の一対の開口用破断線ｐ、ｐが破断され開口される。本発明の易開封性カートン１では、この折れ線ａ、ｂ上に設けた開口用破断線ｐ、ｐは、破断しやすいように、二重ミシン目としている。折れ線ａ、ｂ以外の折れ線には罫線加工が施されている。
【００１３】
この二重ミシン目の形状は、図４−ａに示すように、内側ミシン目ｑ１と外側ミシン目ｑ２とからなり、その間に折れ線ａ、ｂが位置する形状である。そして、それぞれのミシン目はカット部分Ｍと谷部分Ｎとからなり、カット部分Ｍの長さｍは、谷部分Ｎの長さｎと同等以上とすることが好ましい（ｍ≧ｎ）。また、ｍの長さは、ｎの３倍以下が好ましい。３倍を超えると天面からの圧力に対して弱くなる、いわゆる成形後のカートンの座屈強度を保つことができず好ましくない。
【００１４】
また、内側ミシン目ｑ１のカット部分Ｍと外側ミシン目ｑ２のカット部分Ｍの位置関係は、それぞれのカット部分Ｍと谷部分Ｎを同一の長さとした場合、図４−ｂに示すように、内側ミシン目ｑ１のカット部分Ｍを外側ミシン目ｑ２まで平行移動した位置が外側ミシン目ｑ２の谷部分Ｎとなり、内側ミシン目ｑ１の谷部分Ｎを外側ミシン目ｑ２まで平行移動した位置が外側ミシン目ｑ２のカット部分Ｍとなる位置関係となる。それぞれのカット部分Ｍが谷部分Ｎより長い場合、図４−ｃに示すように、カット部分Ｍを平行移動した時にカット部分Ｍ同士の両端が重なる形状となる。
【００１５】
また、内側ミシン目ｑ１と外側ミシン目ｑ２の間隔ｒは、０．５〜１．０ｍｍの範囲が好ましく、０．５ｍｍ未満の場合には、開口用破断線ｐ、ｐが開封前の段階で破断されやすくなり、１．０ｍｍを超える場合には、ミシン目を二重にした効果が見られず、破断後の外観も悪くなる。
【００１６】
また、前面１６には、天面１２の開口用破断線ｐ、ｐに連続して一対の開封用破断線ｑ、ｑが設けられている。この一対の開封用破断線ｑ、ｑにより囲まれる領域は開封用開閉部分Ｑとなり、前面１６の一対の開封用破断線ｑ、ｑが破断され開封される。また、この開封用破断線ｑ、ｑは前面１６の辺縁では指で摘まみやすいように、間隔を狭くし摘まみ部１６ａとしている。この摘まみ部１６ａを摘まみ、開封用破断線ｑ、ｑを切り裂くことから開封を始めることができる。さらに、前下面１８には、摘まみ部１６ａに対応する位置に、前面１６の摘まみ部１６ａを差し込むための差し込み口１８ａが設けられている。
【００１７】
なお、開口用破断線ｐ、ｐは、本実施例では図３に示すように、折れ線ａ、ｂ上の全長に渡って設けているが、図５に示すブランク１０Ａのように、折れ線ａ、ｂ上の一部に設けることもできる。このように天面１２の開口用開閉部分Ｐを八角形とし、天面１２の４隅を残した形状にすることによって、易開封性カートンの強度が保つことができる。特に、開封後の保形性が良好となる。
【００１８】
さらに、ブランクの形状を上記のブランク１０の形状とは異なり、図６に示すようなブランク１０Ｂのような形状とすることもできる。このブランク１０Ｂでは、横方向の折れ線ｅ、ｆ、ｈ、ｇを介して前面１６、天面１２、後面１７、底面１４、前下面１８が連設され、天面１２の右左の辺には折れ線ａ、ｂを介してそれぞれ側面１１と側面１３が連設され、底面１４の右左の辺には折れ線ｃ、ｄを介してそれぞれ側下面２４と側下面２５が連設され、そして、前面１６の右左の辺には折れ線ｉ、ｊを介してそれぞれ折り込み片２０、２１が連設され、後面１７の右左の辺には折れ線ｋ、ｌを介してそれぞれ折り込み片２２、２３が連設されている。
【００１９】
また、天面１２と両側面１１、１３との折れ線ａ、ｂ上の少なくとも一部（本実施例では全長に渡る）には、一対の開口用破断線ｐ、ｐを設けられている。この一対の開口用破断線ｐ、ｐにより囲まれる領域は開口用開閉部分Ｐとなり、天面１２の一対の開口用破断線ｐ、ｐが破断され開口される。この折れ線ａ、ｂ上に設けた開口用破断線ｐ、ｐは、破断しやすいように、二重ミシン目としている。
【００２０】
上記のブランク１０から易開封性カートン１を組み立てて商品を収納するには、まず、図７−ａに示すように、底面１４を折れ線ｃで側面１３側に折返し、つぎに、側面１１を折れ線ａで天面１２側に折り曲げて、糊代面１５と側面１１とを貼り合わせて、図７−ｂに示すように、折り畳んだ状態の易開封性カートン１とすることができる。
【００２１】
つぎに、このサック貼りして折り畳んだ状態の易開封性カートン１を、図７−ｃに示すように、実際に内容物を充填する工程で角筒状に起こし、両方の折り込み片２１、２３を内側に折り曲げてから、後下面１９、後面１７の順にそれぞれ内側に折り曲げて互いに接着することにより、図７−ｄに示すように、一方の側を閉鎖する。この状態で他方の側面開口から内容物を充填する。このように内容物を収納した後、図４−ｅに示すように、両方の折り込み片２０、２２を内側に折り曲げてから、前下面１８、前面１６の順にそれぞれ内側に折り曲げて互いに接着することにより他方の側を閉鎖する。これにより図１に示す易開封性カートン１が作成される。
【００２２】
しかしながら、上記のようにつぎに、折り畳んだ状態の易開封性カートン１とすると、二重ミシン目の折れ線が折り畳まれるため、この折れ線が加工工程で破断する危険性がある。その工程中の破断を防ぐために、易開封性カートン１を折り畳んだ状態にしないで内容物を収納する、いわゆるラップラウンド方式の充填方法が好ましい。すなわち、ブランクの状態で内容物を包装する方法で、ブランク１０において底面１４に内容物を載置し、それぞれの面で包むようにし、糊代片１５と側面１１を貼り合わせ、前下面１８と前面１６、後下面１９と後下面１７とを貼り合わせることによって図１に示す易開封性カートン１が作成される。
【００２３】
図１の易開封性カートン１を開封するには、従来の易開封性カートンと同様、図８−ａに示すように、前面１６の摘まみ部１６ａを摘んで引っ張り上げ、そして、摘まみ部１６ａの横への開封用破断線ｑ、ｑを引き裂いて開封用開閉部分Ｑを開封しはじめる。引き続いて前面１６の開封用開閉部分Ｑを開封した後に、図８−ｂに示すように、天面１２の天面開封部分Ｐを両側の開口用破断線ｐ、ｐに沿って引き裂くことにより、図２に示すように、開封用開閉部分Ｑと天面開封部分Ｐが開口された状態とする。この状態で収納されている商品を取り出すことができる。
【００２４】
また、一旦開けた部分を再封する際には、摘まみ部１６ａを、前下面１８に設けられている差し込み口１８ａに差し込んで係止することができる。
【００２５】
本実施例は再封の方法に関する一つの例を示したに過ぎず、この形状に限定されるものではない。
【実施例】
【００２６】
以下、本発明による易開封性カートンの実施例について説明する。
【００２７】
まず、坪量３１０ｇ／ｍ2の板紙（商品名：ウルトラＨ（大昭和製紙株式会社製））の表面に絵柄、文字などの印刷を、オフセット印刷で施した。印刷の表面には、プレス加工により艶出しの表面加工も行った。この多面付けで印刷および表面加工を行った枚葉状の面紙から図３に示すような所定の形のブランクに打ち抜いた。
【００２８】
つぎに、実際に内容物を充填する工程おいて、ブランク１０の底面１４に内容物を載置し、それぞれの面で包むようにし、糊代片１５と側面１１を貼り合わせ、前下面１８と前面１６、後下面１９と後下面１７とを貼り合わせることによって図１に示す易開封性カートン１が作成した。
【００２９】
この易開封性カートン１は、前面１６の摘まみ部１６ａを摘んで引っ張り上げ、そして、摘まみ部１６ａの横への開封用破断線ｑ、ｑを引き裂いて開封用開閉部分Ｑを開封しはじめ、引き続いて前面１６の開封用開閉部分Ｑを開封した後に、天面１２の天面開封部分Ｐを両側の開口用破断線ｐ、ｐに沿って引き裂くことにより、開封用開閉部分Ｑと天面開封部分Ｐが開口された状態とすることができ、中に収納されている商品を取り出すことができた。開封の時に、開口用破断線ｐ、ｐの破断をスムースに行うことができ、特に、天面１２と両側面１１、１３との折れ線ａ、ｂ上の一部に二重ミシン目で設けた開口用破断線ｐ、ｐは容易に破断することができた。さらに、天面１２の開口用開閉部分Ｐを八角形とし、天面１２の４隅を残した形状にすることによって、開封後の保形性が良好であった。
【００３０】
また、一旦開けた部分を再封する際には、前下面１８に設けられている差し込み口１８ａに摘まみ部１６ａを差し込んで係止することができた。
【産業上の利用可能性】
【００３１】
具体的な用例としては、菓子、食品等を収納するカートンに使用することができ、特に、開口部分を広くし、内容物を取り出し易く、かつ、再封ができるカートンに広く利用できるものである。
【図面の簡単な説明】
【００３２】
【図１】本発明の易開封性カートンの一実施例を示す斜視図である。
【図２】図１の易開封性カートンの開閉部分を開けた状態を示す斜視図である。
【図３】図１の易開封性カートンを形成するブランクを示す展開図である。
【図４】本発明の易開封性カートンの破断線の概略部分拡大図である。
【図５】本発明の易開封性カートンの別の実施例のブランクを示す展開図である。
【図６】本発明の易開封性カートンのさらに別の実施例のブランクを示す展開図である。
【図７】ブランクから本発明の易開封性カートンを組み立てる工程を説明する図である。
【図８】本発明の易開封性カートンの開封方法を説明する図である。
【図９】従来の易開封性カートンの例を示す斜視図である。
【符号の説明】
【００３３】
１    易開封性カートン
２    従来の易開封性カートン
３    従来の易開封性カートン
１０    ブランク
１０Ａ  ブランク
１０Ｂ  ブランク
１１    側面
１２    天面
１３    側面
１４    底面
１５    糊代片
１６    前面
１６ａ  摘まみ部
１７    後面
１８    前下面
１８ａ  差し込み口
１９    後下面
２０    折り込み片
２１    折り込み片
２２    折り込み片
２３    折り込み片
２４    側下面
２５    側下面
ｐ    開口用破断線
ｑ    開封用破断線
ｘ    開口用破断線（従来の易開封性カートン）
ｙ    開封用破断線（従来の易開封性カートン）
Ｐ    開口用開閉部分
Ｑ    開封用開閉部分
ａ〜ｌ  折れ線
【図１】
2005200105.tif 000003
【図２】
2005200105.tif 000004
【図３】
2005200105.tif 000005
【図４】
2005200105.tif 000006
【図５】
2005200105.tif 000007
【図６】
2005200105.tif 000008
【図７】
2005200105.tif 000009
【図８】
2005200105.tif 000010
【図９】
2005200105.tif 000011